(57)【要約】      （修正有）【課題】複数の通話用端末に対して発話者の発話音声を配信する。【解決手段】通話用端末２００とサーバー３００とを備えた通話システム１００で、通話用端末２００は、発話音声の送信先を発話者が指定した少なくとも１台の通話用端末（以下、「指定端末」と呼ぶ）とするか、あらかじめ設定された少なくとも１台の通話用端末（以下、「事前登録端末」と呼ぶ）とするかを切り替える切替手段と、切替手段によって、発話音声の送信先が指定端末に設定された場合には、指定端末を送信先として発話音声を配信装置へ送信し、切替手段によって、発話音声の送信先が事前登録端末に設定された場合には、事前登録端末を送信先として発話音声を配信装置へ送信する送信手段とを備え、サーバー３００は、通話用端末２００から発話音声を受信する受信手段と、受信手段が受信した発話音声を通話用端末側で送信先として設定された通話用端末に対して配信する配信手段とを備える。【選択図】図１
2013009131.tif 000002
【特許請求の範囲】
【請求項１】
複数の発話者がそれぞれ所持し、前記発話者による発話音声を送信する通話用端末と、
前記通話用端末のいずれかから前記発話音声を受信し、前記発話者が指定した他の通話用端末に前記発話音声を配信する配信装置とを備えた通話システムであって、
前記通話用端末は、
前記発話音声の送信先を発話者が指定した少なくとも１台の通話用端末（以下、「指定端末」と呼ぶ）とするか、あらかじめ登録されている少なくとも１台の通話用端末（以下、「事前登録端末」と呼ぶ）とするかを切り替える切替手段と、
前記切替手段によって、前記発話音声の送信先を前記指定端末とするように切り替えられた場合には、送信先とする前記指定端末を指定して前記発話音声を前記配信装置へ送信し、前記切替手段によって、前記発話音声の送信先を前記事前登録端末とするように切り替えられた場合には、前記事前登録端末を送信先として指定して前記発話音声を前記配信装置へ送信する送信手段とを備え、
前記配信装置は、
前記通話用端末から前記発話音声を受信する受信手段と、
前記受信手段が受信した前記発話音声を前記通話用端末側で送信先として指定された通話用端末（以下、「配信先端末」と呼ぶ）に対して配信する配信手段とを備えることを特徴とする通話システム。
【請求項２】
請求項１に記載の通話システムにおいて、
前記通話用端末は、
送信先として指定可能な通話用端末を特定するためのアドレスを記録した記録手段をさらに備え、
前記送信手段は、発話者によって前記記録手段に記録されている前記アドレスの中から少なくとも１台の通話用端末に関する前記アドレスが選択された場合には、該選択されたアドレスに対応する前記通話用端末を前記指定端末として送信先に指定することを特徴とする通話システム。
【請求項３】
請求項２に記載の通話システムにおいて、
前記記録手段は、前記アドレスをグループ化して記録することができ、
前記送信手段は、発話者によって前記アドレスの少なくとも１つのグループが選択された場合には、該選択されたグループに含まれるアドレスに対応する前記通話用端末を前記指定端末として送信先に指定することを特徴とする通話システム。
【請求項４】
請求項２または３に記載の通話システムにおいて、
前記送信手段は、送信先として指定した前記指定端末の前記アドレスと前記発話音声とを関連付けて前記配信装置へ送信し、
前記配信手段は、前記通話用端末から受信した前記アドレスに基づいて前記配信先端末を特定し、特定した前記配信先端末に対して前記受信手段が受信した前記発話音声を配信することを特徴とする通話システム。
【請求項５】
請求項１〜４のいずれか一項に記載の通話システムにおいて、
前記配信装置は、特定の通話用端末から送信される前記発話音声の受信を希望する受話希望者による配信希望の登録を受け付ける受付手段と、
前記受付手段によって配信希望の登録を受け付けた受話希望者が所持する通話用端末を特定するためのアドレスを前記特定の通話用端末のアドレスに関連付けて記録する関連付け手段とをさらに備え、
前記配信手段は、前記通話用端末から前記事前登録端末を送信先として前記発話音声を受信した場合には、前記発話音声の送信元の前記通話用端末のアドレスに関連付けられている前記アドレスに基づいて配信先の前記通話用端末を特定し、特定した前記通話用端末を前記配信先端末として、前記発話音声を配信することを特徴とする通話システム。
【請求項６】
請求項１〜５のいずれか一項に記載の通話システムにおいて、
前記配信装置は、
前記受信手段が受信した前記発話音声の音声データを録音する録音手段をさらに備え、
前記配信手段は、前記録音手段によって録音された前記発話音声の音声データを再生することにより、前記発話音声を前記配信先端末に対して配信することを特徴とする通話システム。
【請求項７】
請求項６に記載の通話システムにおいて、
前記配信手段は、前記通話用端末から前記発話音声を受信した場合には、前記録音手段による前記発話音声の音声データの録音が完了したときに、前記発話音声の音声データを再生して前記配信先端末に前記発話音声を配信することを特徴とする通話システム。
【請求項８】
請求項６に記載の通話システムにおいて、
前記配信手段は、前記通話用端末から前記発話音声を受信したときには、前記配信先端末に対してその旨を通知し、
前記配信先端末から前記発話音声の配信が要求されたときに、前記発話音声の音声データを再生して前記配信先端末に前記発話音声を配信することを特徴とする通話システム。
【請求項９】
請求項６に記載の通話システムにおいて、
前記配信装置は、前記通話用端末から前記発話音声を受信したときに、前記配信先端末が前記発話音声を配信可能なエリア内に存在しているか否かを判定するエリア状況判定手段をさらに備え、
前記配信手段は、前記エリア状況判定手段によって前記エリア内に存在していると判定された前記配信先端末に対しては、前記録音手段による前記発話音声の音声データの録音が完了したときに、前記発話音声の音声データを再生して前記発話音声を配信し、前記エリア状況判定手段によって前記エリア内に存在していないと判定された前記配信先端末に対しては、未配信の前記発話音声がある旨を通知し、前記配信先端末から前記発話音声の配信が要求されたときに、前記発話音声の音声データを再生して前記発話音声を配信することを特徴とする通話システム。
【請求項１０】
請求項６に記載の通話システムにおいて、
前記通話用端末は、使用者からの指示に基づいて前記発話音声の送受信の可否を設定するとともに、その設定内容を前記配信装置へ通知する送受信可否設定手段をさらに備え、
前記配信装置は、前記通話用端末から前記発話音声を受信したときに、前記配信先端末における前記発話音声の送受信可否の設定状況を判定する送受信可否状況判定手段をさらに備え、
前記配信手段は、前記送受信可否状況判定手段によって送受信が許可されていると判定された前記配信先端末に対しては、前記録音手段による前記発話音声の音声データの録音が完了したときに、前記発話音声の音声データを再生して前記発話音声を配信し、前記送受信可否状況判定手段によって送受信が禁止されていると判定された前記配信先端末に対しては、未配信の前記発話音声がある旨を通知し、前記配信先端末から前記発話音声の配信が要求されたときに、前記発話音声の音声データを再生して前記発話音声を配信することを特徴とする通話システム。
【請求項１１】
請求項１０に記載の通話システムにおいて、
前記送受信可否設定手段は、前記発話音声の送受信を禁止するように設定しているときに、前記発話者によって発話が行われたことを検出した場合には、一時的に前記発話音声の送信を許可することを特徴とする通話システム。
【請求項１２】
請求項１１に記載の通話システムにおいて、
前記送受信可否設定手段は、一時的に前記発話音声の送信を許可した場合には、前記発話者による発話が終了してから所定時間が経過した後に、再び前記発話音声の送信を禁止することを特徴とする通話システム。
【請求項１３】
請求項１〜１２のいずれか一項に記載の通話システムにおいて、
前記通話用端末は、前記配信装置から配信された前記発話音声の音声データを出力する音声出力手段をさらに備えることを特徴とする通話システム。
【請求項１４】
請求項１〜１３のいずれか一項に記載の通話システムにおいて、
前記通話用端末は、前記配信装置から前記発話音声を受信したときに、受話者からの応答の発話を受け付けて、前記発話音声の送信元の通話用端末に対して、応答の発話音声を送信する応答手段をさらに備えることを特徴とする通話システム。
【請求項１５】
請求項１４に記載の通話システムにおいて、
前記応答手段は、前記応答の発話音声を、前記送信元の通話用端末とともに、該送信元の通話用端末から同じ発話音声が配信された他の通話用端末にも送信することを特徴とする通話システム。
【発明の詳細な説明】
【技術分野】
【０００１】
本発明は、通話システムに関する。
【背景技術】
【０００２】
次のような電話によるグループ通話方法が知られている。この電話によるグループ通話方法は、コールセンタが、送信者の電話番号と送信者が選択した通話先受信者の電話番号に対して一斉発呼することにより、送信者と複数の通話先受信者とが同時に通話することができる（例えば、特許文献１）。
【先行技術文献】
【特許文献】
【０００３】
【特許文献１】特開２００３−２９８７５１号公報
【発明の概要】
【発明が解決しようとする課題】
【０００４】
しかしながら、従来のグループ通話方法では、送信者が指定した通話先受信者に対して一斉発呼するものであるため、発話者は自身が指定した通話先受信者にしか発呼することができず、利便性に問題があった。
【課題を解決するための手段】
【０００５】
本発明による通話システムは、複数の発話者がそれぞれ所持し、発話者による発話音声を送信する通話用端末と、通話用端末のいずれかから発話音声を受信し、発話者が指定した他の通話用端末に発話音声を配信する配信装置とを備えた通話システムであって、通話用端末は、発話音声の送信先を発話者が指定した少なくとも１台の通話用端末（以下、「指定端末」と呼ぶ）とするか、あらかじめ設定された少なくとも１台の通話用端末（以下、「事前登録端末」と呼ぶ）とするかを切り替える切替手段と、切替手段によって、発話音声の送信先が指定端末に設定された場合には、指定端末を送信先として発話音声を配信装置へ送信し、切替手段によって、発話音声の送信先が事前登録端末に設定された場合には、事前登録端末を送信先として発話音声を配信装置へ送信する送信手段とを備え、配信装置は、通話用端末から発話音声を受信する受信手段と、受信手段が受信した発話音声を通話用端末側で送信先として設定された通話用端末（以下、「配信先端末」と呼ぶ）に対して配信する配信手段とを備えることを特徴とする。
【発明の効果】
【０００６】
本発明によれば、発話者が指定した通話用端末以外に、あらかじめ設定された通話用端末に対しても発話音声を送信することができるため、簡易な操作で複数の通話用端末に対して発話音声を配信することができる。
【図面の簡単な説明】
【０００７】
【図１】通話システム１００の一実施の形態の構成を示すブロック図である。
【図２】通話用端末２００の一実施の形態の構成を示すブロック図である。
【図３】通話アプリケーションの画面の一例を示す図である。
【図４】通話用端末２００で実行される処理の流れを示すフローチャート図である。
【図５】サーバー３００の一実施の形態における構成を示すブロック図である。
【図６】サーバー３００で実行される処理の流れを示す第１のフローチャート図である。
【図７】サーバー３００で実行される処理の流れを示す第２のフローチャート図である。
【発明を実施するための形態】
【０００８】
図１は、本実施の形態における通話システムの一実施の形態の構成を示すブロック図である。通話システム１００は、複数の通話用端末２００と、サーバー３００とで構成され、サーバー３００と各通話用端末２００とは、例えばインターネット等の通信回線を介して接続される。なお、図１では、１台のサーバー３００と２台の通話用端末２００とで構成される例を示しているが通話システム１００の構成はこれに限定されない。例えば、複数のサーバー３００で処理を分散させるようにしてもよい。また、通話用端末２００の数は特に限定されるものではない。
【０００９】
本実施の形態における通話システム１００では、ある通話用端末２００を所持する発話元ユーザー（以下、「発話者」と呼ぶ）が通話用端末２００を操作して少なくとも一人の発話先ユーザー（以下、「受話者」と呼ぶ）を選択して発話すると、その受話者が所持する通話用端末２００に発話音声を送信することができる。その際、発話者が所持する通話用端末２００から送信された発話音声のデータは、インターネット等の通信回線を介してサーバー３００へ送信され、サーバー３００から受話者の通話用端末２００に配信される。以下、本実施の形態の発話システムにおける処理の詳細について説明する。
【００１０】
図２は、本実施の形態における通話用端末２００の一実施の形態の構成を示すブロック図である。通話用端末２００は、複数の発話者がそれぞれ所持する端末であって、例えばスマートフォン、タブレット、ＰＤＡ等の携帯情報端末が用いられ、これらの携帯情報端末に通話用アプリケーションをインストールすることにより、通話用端末２００として動作する。通話用端末２００は、タッチパネル２０１と、通信モジュール２０２と、制御装置２０３と、メモリスロット２０４と、マイク２０５と、スピーカー２０６とを備えている。
【００１１】
タッチパネル２０１は、液晶パネル等の表示装置とタッチパッドのような位置入力装置を組み合わせた電子部品であり、画面上の表示を押すことで機器を操作することができる入力装置である。例えば、発話者や受話者といった通話用端末２００の使用者は、液晶パネル上に表示されたボタンやメニュー等の表示項目を指やタッチペンを用いてタッチまたはスライドさせることにより、通話用端末２００を操作することができる。タッチパネル２０１は、使用者によるタッチやスライドといった操作を検出して、その検出信号を制御装置２０３へ出力する。
【００１２】
通信モジュール２０２は、無線ＬＡＮのアクセスポイントを介してインターネットに接続するためのモジュールや携帯電話通信網を介してインターネットに接続するためのモジュールが用いられる。通話用端末２００は、この無線モジュール２０２によりインターネット経由でサーバー３００と通信を行う。
【００１３】
制御装置２０３は、ＣＰＵ、メモリ、およびその他の周辺回路によって構成され、通話用端末２００の全体を制御する。なお、制御装置２０３を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、通話用端末２００を動作させるためのファームウェアや種々のアプリケーションを動作させるためのソフトウェアのプログラムデータが記録される。本実施の形態では、この不揮発性のメモリに、ダウンロード等によって入手された通話用アプリケーションがインストールされている。
【００１４】
メモリスロット２０４は、メモリカード等の外部メモリを挿入するためのスロットである。使用者は、このメモリスロット２０４にメモリカードを挿入して、通話用端末２００の記憶容量を増加させることができる。例えば、通話用端末２００がカメラ機能を備えている場合には、撮影によって得られた画像データをメモリカードに記録することにより、画像データが制御装置２０３を構成するフラッシュメモリの容量を圧迫することを防ぐことができる。また、通話用アプリケーション等のアプリケーションのプログラムデータもメモリスロット２０４に挿入されたメモリカード内に記録できるようにしてもよい。
【００１５】
マイク２０５は、発話者による発話音声を入力するための集音装置であって、マイク２０５から入力された音声データは、制御装置２０４でデジタル信号に変換される。また、スピーカー２０６は、音声を出力するための出力装置である。他の通話用端末２００から受信した発話音声は、制御装置２０３でアナログ信号に変換された後、スピーカー２０６から出力される。
【００１６】
通話用端末２００の使用者が通話用端末２００上で通話用アプリケーションを起動すると、通話用端末２００とサーバー３００との間で通信が確立される。これにより、通話用アプリケーションが起動されてサーバー３００と接続されている他の通話用端末２００に対して発話音声を送信することができる。本実施の形態では、各通話用端末２００は、一意に設定されているアドレスにより特定され、発話者は、自身の声を送信したい相手が所持する通話用端末２００のアドレスを指定して発話することにより、送信先を特定して発話を行うことができる。なお、各通話用端末２００のアドレスとしては、各通話用端末２００に一意に割り当てられている端末ＩＤ、ＩＰアドレス、電話番号、メールアドレス等の既存の情報を用いてもよい。あるいは、通話システム１００用に設定した専用のアドレスを用いてもよい。
【００１７】
図３は、通話用端末２００上で通話用アプリケーションを起動した場合にタッチパネル２０１上に表示される画面の一例を示す図である。図３に示すように、タッチパネル２０１上の画面内には、プライベート・パブリック切替ボタン３ａと、フレンドアドレスボタン３ｂと、フレンド履歴ボタン３ｃと、チームアドレスボタン３ｄと、チーム履歴ボタン３ｅと、検索ボタン３ｆと、その他機能ボタン３ｇと、ボイスボタン３ｈと、更新ボタン３ｉと、表示エリア３ｊと、戻るボタン３ｋと、オンライン・オフライン切替ボタン３ｌとが表示されている。
【００１８】
発話者は、タッチパネル２０１上でプライベート・パブリック切替ボタン３ａにタッチすることにより、通話のチャンネルをプライベートチャンネルとパブリックチャンネルとの間で切り替えることができる。具体的には、制御装置２０３は、発話者がプライベート・パブリック切替ボタン３ａに１回タッチする毎に、プライベートチャンネルとパブリックチャンネルとを切り替える。
【００１９】
まずプライベートチャンネルに切り替えられた場合の処理について説明する。プライベートチャンネルとは、発話者が自身の発話音声を送信したい相手を指定できるモードをいう。制御装置２０３は、プライベートチャンネルに設定された場合には、発話音声の送信先を発話者が指定した少なくとも１台の通話用端末とする。発話者が自身の発話音声の送信先を指定するための方法としては、以下の方法がある。
【００２０】
まず、発話者は、フレンドアドレスボタン３ｂにタッチして、表示エリア３ｊにあらかじめ登録しておいたフレンドのアドレスを一覧表示させ、その中から送信先のアドレスをタッチして選択することができる。このために、発話者はあらかじめフレンドのアドレスを登録しておく必要がある。フレンドのアドレスは、お互いに認証キー等を発行して認証が完了した場合のみ登録可能とする。これによって、勝手にフレンドの登録をして一方的に発話音声を送りつける等といった迷惑行為を防止することができる。なお、フレンドのアドレスを登録する手順については説明を省略するが、例えば、発話者がその他機能ボタン３ｇにタッチするとフレンド登録用のメニューを呼び出すためのボタンが表示されるようにすればよい。また、フレンドのアドレスを記録したアドレス帳は、制御装置２０３が備えるフラッシュメモリ、またはメモリスロット２０４に挿入されたメモリカードに記録される。
【００２１】
制御装置２０３は、発話者によってフレンドアドレスボタン３ｂがタッチされたことを検出した場合には、あらかじめ登録されたフレンドのアドレス帳をメモリから読み出して表示エリア３ｊ内に表示する。制御装置２０３は、発話者によって表示エリア３ｊ内で少なくとも１つのアドレスがタッチされたことを検出した場合には、タッチにより選択されたアドレスを送信先のアドレスに設定する。
【００２２】
また、発話者は、フレンド履歴ボタン３ｃにタッチして表示エリア３ｊに過去に発話音声を送信したフレンドのアドレスの履歴を一覧表示させ、その中から送信先をタッチして選択することもできる。このために、制御装置２０３は、過去に発話音声を送信したフレンドのアドレスの履歴をフラッシュメモリ、またはメモリスロット２０４に挿入されたメモリカードに記録しておく。そして、制御装置２０３は、発話者によってフレンド履歴ボタン３ｃがタッチされたことを検出した場合には、記録しておいたフレンドのアドレスの履歴をメモリから読み出して表示エリア３ｊ内に表示する。制御装置２０３は、発話者によって表示エリア３ｊ内で少なくとも１つのアドレスがタッチされたことを検出した場合には、タッチにより選択されたアドレスを送信先のアドレスに設定する。
【００２３】
また、発話者は、チームアドレスボタン３ｄにタッチして、表示エリア３ｊにあらかじめ登録しておいたチームを一覧表示させ、その中から送信先のチームを指定することにより、該チームに所属するメンバーを送信先として選択することができる。このために、発話者はあらかじめチームとして、少なくとも１人のメンバーが所持する通話用端末２００のアドレスを登録したグループを登録しておく必要がある。１つの通話用端末２００に登録できるチーム数は特に限定されず、発話者が目的に応じて複数のチームを登録することができる。発話者は、各チームに複数のメンバーのアドレスを登録しておけば、１つのチームを選択するだけで複数のメンバーを送信先として指定することができ、全メンバーに同じ発話音声を送信することができる。
【００２４】
なお、チームの登録手順、およびチームへのメンバーの登録手順については説明を省略するが、例えば、発話者がその他機能ボタン３ｇにタッチするとチーム登録用のメニューを呼び出すためのボタンが表示されるようにすればよい。また、チームのアドレスを記録したアドレス帳は、制御装置２０３が備えるフラッシュメモリ、またはメモリスロット２０４に挿入されたメモリカードに記録される。
【００２５】
制御装置２０３は、発話者によってチームアドレスボタン３ｄがタッチされたことを検出した場合には、あらかじめ登録されたチームの一覧をメモリから読み出して表示エリア３ｊ内に表示する。制御装置２０３は、発話者によって表示エリア３ｊ内で少なくとも１つのチームがタッチされたことを検出した場合には、タッチにより選択されたチームに属するメンバーのアドレスを送信先のアドレスに設定する。
【００２６】
また、発話者は、チーム履歴ボタン３ｅにタッチして表示エリア３ｊに過去に発話音声を送信したチームの履歴を一覧表示させ、その中から送信先とするチームを選択することもできる。このために、制御装置２０３は、過去に発話音声を送信したチームの履歴をフラッシュメモリ、またはメモリスロット２０４に挿入されたメモリカードに記録しておく。そして、制御装置２０３は、発話者によってチーム履歴ボタン３ｅがタッチされたことを検出した場合には、記録しておいたチームの履歴をメモリから読み出して表示エリア３ｊ内に表示する。制御装置２０３は、発話者によって表示エリア３ｊ内で少なくとも１つのチームがタッチされたことを検出した場合には、タッチにより選択されたチームに属するメンバーのアドレスを送信先のアドレスに設定する。
【００２７】
また、発話者は、検索ボタン３ｆにタッチして、表示エリア３ｊに検索画面を表示させ、名前やアドレス等を検索キーとして、送信先を検索することもできる。制御装置２０３は、発話者によって検索ボタン３ｆがタッチされたことを検出した場合には、表示エリア３ｊに検索画面を表示する。検索画面上には、検索文字列を入力するための入力エリアと検索ボタンとが配置されており、発話者は、入力エリアに検索文字列を入力して検索ボタンにタッチすることにより検索の開始を指示する。制御装置２０３は、発話者によって検索ボタンがタッチされたことを検出した場合には、制御装置２０３が備えるフラッシュメモリ、またはメモリスロット２０４に挿入されたメモリカードに記録されたフレンドのアドレス帳やチームのアドレス帳を対象として検索を行い、入力エリアに入力された検索文字列にマッチするフレンドやチームを抽出して、抽出結果を表示エリア３ｊに表示する。制御装置２０３は、発話者によって表示エリア３ｊ内で少なくとも１つの抽出結果がタッチされたことを検出した場合には、タッチにより選択された抽出結果に基づいて送信先のアドレスを特定する。
【００２８】
発話者は、以上の方法により送信先を指定した後に、ボイスボタン３ｈにタッチすることで、マイク２０５を介した音声入力が可能となる。本実施の形態では、発話者は、ボイスボタン３ｈをタッチしている間、発話を行うことができる。制御装置２０３は、発話者によってボイスボタン３ｈがタッチされたことを検出した場合には、マイク２０５からの音声入力の待ち受けを開始し、この待ち受けをボイスボタン３ｈのタッチが終了するまで継続する。制御装置２０３は、マイク２０５からの音声入力が開始されたことを検出した場合には、入力された音声信号をデジタル信号に変換し、変換後の音声データをバッファメモリに一時的に記録する。そして、制御装置２０３は、音声データをバッファメモリから読み出し、自身の通話用端末２００のアドレスとともに、通信モジュール２０２を介してサーバー３００へ送信する。
【００２９】
制御装置２０３は、サーバー３００へ音声データを送信するに当たっては、音声データと上述した処理で指定された送信先のアドレスとを関連付けて送信する。これにより、サーバー３００は、配信先の通話用端末２００を特定することができる。
【００３０】
サーバー３００は、通話用端末２００から受信した音声データを、配信先としてアドレスを特定した通話用端末２００へ配信する。これによって、発話者である通話用端末２００の使用者は、送信先に対して発話音声を送信することが可能となる。なお、サーバー３００による音声データの配信処理については後述する。
【００３１】
次に、パブリックチャンネルに切り替えられた場合の処理について説明する。パブリックチャンネルとは、この発話者からの発話音声を受信したいと考える受話希望者があらかじめサーバー３００上で登録を行っておき、発話者は、あらかじめ登録されている受話希望者の通話用端末２００に対して自身の発話音声を送信することができるモードをいう。制御装置２０３は、パブリックチャンネルに設定された場合には、発話音声の送信先をサーバー３００上であらかじめ設定された少なくとも１台の通話用端末とする。
【００３２】
パブリックチャンネルを用いた発話を希望する発話者は、あらかじめサーバー３００上に情報を公開して、発話音声の配信を希望する受話希望者を募る。例えば、通話用端末２００上では、その他機能ボタン３ｇをタッチすると受話希望者を募集中の発話者に関する情報を閲覧するためのメニューを呼び出すためのボタンが表示される。各受話希望者はそこから登録を募集している発話者に関する情報を確認することができる。
【００３３】
受話希望者は、その中に発話音声を受信したい発話者がいる場合には、その発話者の発話音声を受信できるように登録を行う。制御装置２０３は、受話希望者によって登録が指示された場合には、サーバー３００に対して、登録に必要な情報、例えば、その通話用端末２００のアドレスを送信する。これにより、サーバー３００側では、募集を行っている発話者の通話用端末２００のアドレスに関連付けて、受話希望者の通話用端末２００のアドレスが登録される。
【００３４】
制御装置２０３は、発話者によってプライベート・パブリック切替ボタン３ａがタッチされてパブリックチャンネルに切り替えられた後に、ボイスボタン３ｈがタッチされたことを検出した場合には、上述したように、ボイスボタン３ｈのタッチが終了するまでマイク２０５からの音声入力の待ち受けを行う。制御装置２０３は、マイク２０５からの音声入力が開始されたことを検出した場合には、入力された音声信号をデジタル信号に変換し、変換後の音声データをバッファメモリに一時的に記録する。そして、制御装置２０３は、音声データをバッファメモリから読み出し、自身の通話用端末２００のアドレスとともに、通信モジュール２０２を介してサーバー３００へ送信する。
【００３５】
制御装置２０３は、サーバー３００へ音声データを送信するに当たっては、音声データとともに発話がパブリックチャンネルで行われたものであることを示す情報も送信する。これにより、サーバー３００は、発話がパブリックチャンネルで行われたものであることを特定することができる。
【００３６】
サーバー３００は、その発話者に関連付けて登録されている受話希望者の通話用端末２００のアドレスを特定し、特定したアドレス宛に発話者の通話用端末２００から受信した音声データを配信する。これによって、パブリックチャンネルで発話された発話音声を受話希望者に配信することが可能となる。なお、サーバー３００による音声データの配信処理については後述する。
【００３７】
以上の処理によってサーバー３００から発話者からの発話音声を受信した通話用端末２００では、制御装置２０３は、受信した音声データをバッファメモリに記録した後、デジタル信号からアナログ信号への変換を行う。その後、アナログ音声信号をスピーカー２０６から出力する。これによって、受話者は、発話者による発話音声を聞くことができる。
【００３８】
制御装置２０３は、使用者によって更新ボタン３ｉがタッチされたことを検出した場合には、表示エリア３ｊ内の表示内容を最新の情報に更新する。制御装置２０３は、使用者によって戻るボタン３ｋがタッチされたことを検出した場合には、表示エリア３ｊ内の表示内容を直前に表示されていた情報に戻す。
【００３９】
制御装置２０３は、使用者によってオンライン・オフライン切替ボタン３ｌがタッチされたことを検出した場合には、通話用端末２００のオンラインとオフラインとを切り替える。通話用端末２００は、オンライン状態では、サーバー３００と通信を行うことが許可され、発話音声を送信したり、他の通話用端末２００から発話音声を受信したりすることができる。一方で、通話用端末２００は、オフライン状態では、サーバー３００へ発話音声を送信したり、他の通話用端末２００から発話音声を受信したりすることができなくなる。すなわち、使用者は、オンライン・オフライン切替ボタン３ｌをタッチすることにより、サーバー３００による発話音声の配信可否を設定することができる。
【００４０】
具体的には、制御装置２０３は、通話用端末２００がオンラインに切り替えられた場合には、サーバー３００にその旨を通知し、サーバー３００との間の通信を確立して発話音声の配信を許可する。一方で、通話用端末２００がオフラインに切り替えられた場合には、サーバー３００にその旨を通知し、サーバー３００との間の通信を切断して発話音声の配信を拒否する。これにより、例えば、受話者は、会議中や授業中に送信者からの発話音声がスピーカー２０６から発せられてしまうことを防ぐことができる。
【００４１】
図４は、本実施の形態において通話用端末２００で実行される処理の流れを示すフローチャートである。図４に示す処理は、使用者によって通話用アプリケーションの実行が指示されると起動するプログラムとして、制御装置２０３によって実行される。
【００４２】
ステップＳ１０において、制御装置２０３は、タッチパネル２０１上に図３に示したアプリケーション画面を表示して、ステップＳ２０へ進む。
【００４３】
ステップＳ２０では、制御装置２０３は、上述した通話用端末２００のオンライン、オフラインの状況がオンラインであるか否かを判断する。ステップＳ２０で否定判断した場合には、後述するステップＳ１００へ進む。これに対して、ステップＳ２０で肯定判断した場合には、ステップＳ３０へ進む。
【００４４】
ステップＳ３０では、制御装置２０３は、サーバー３００から他の通話用端末２００からの音声データを受信したか否かを判断する。ステップＳ３０で否定判断した場合には、後述するステップＳ５０へ進む。これに対して、ステップＳ３０で肯定判断した場合には、ステップＳ４０へ進む。
【００４５】
ステップＳ４０では、制御装置２０３は、サーバー３００から受信した音声データをバッファメモリに記録した後、デジタル信号からアナログ信号への変換を行う。その後、アナログ音声信号をスピーカー２０６から出力する。これによって、受話者は、発話者による発話音声を聞くことができる。その後、ステップＳ５０へ進む。
【００４６】
ステップＳ５０では、制御装置２０３は、発話者によって上述した方法により発話音声の送信先が指定されたか否かを判断する。ステップＳ５０で否定判断した場合には、後述するステップＳ１００へ進む。これに対して、ステップＳ５０で肯定判断した場合には、ステップＳ６０へ進む。
【００４７】
ステップＳ６０では、制御装置２０３は、発話者によってボイスボタン３ｈがタッチされて発話音声の入力が開始されたか否かを判断する。ステップＳ６０で肯定判断した場合には、ステップＳ７０へ進む。
【００４８】
ステップＳ７０では、制御装置２０３は、上述したチャンネルがプライベートチャンネルとパブリックチャンネルのどちらに設定されているかを判断する。ステップＳ７０でプライベートチャンネルと判断した場合には、ステップＳ８０へ進む。ステップＳ８０では、制御装置２０３は、入力された発話音声の音声データと送信先のアドレスを通信モジュール２０１を介してサーバー３００へ送信する。一方、ステップＳ７０でパブリックチャンネルと判断した場合には、ステップＳ９０へ進む。ステップＳ９０では、制御装置２０３は、入力された発話音声の音声データと発話がパブリックチャンネルで行われたものであることを示すパブリック情報を通信モジュール２０１を介してサーバー３００へ送信する。その後、ステップＳ１００へ進む。
【００４９】
ステップＳ１００では、制御装置２０３は、使用者によって通話アプリケーションの終了が指示されたか否かを判断する。ステップＳ１００で否定判断した場合には、ステップＳ２０へ戻る。これに対して、ステップＳ１００で肯定判断した場合には、制御装置２０３は、タッチパネル２０１上に表示中のアプリケーション画面を閉じた後、処理を終了する。
【００５０】
次にサーバー３００における処理について説明する。図５は、本実施の形態におけるサーバー３００の一実施の形態における構成を示すブロック図である。サーバー３００は、操作部材３０１と、接続ＩＦ（インターフェース）３０２と、制御装置３０３と、ＨＤＤ（ハードディスクドライブ）３０４と、モニタ３０５とを備えている。
【００５１】
操作部材３０１は、サーバー３００の管理者等によって操作される種々の装置、例えばキーボードやマウスを含む。接続ＩＦ３０２は、サーバー３００を通信網と接続するためのインターフェースである。本実施の形態では、サーバー３００は、この接続ＩＦ３０２により、通話用端末２００とインターネット等の通信網を介して接続される。なお、接続ＩＦ３０２としては、サーバー３００を通信網に有線接続するためのインターフェースや、無線接続するためのインターフェースなどが用いられる。
【００５２】
制御装置３０３は、ＣＰＵ、メモリ、およびその他の周辺回路によって構成され、サーバー３００の全体を制御する。なお、制御装置３０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。
【００５３】
ＨＤＤ３０４は、種々の情報を記録するための記録装置である。このＨＤＤ３０４には、例えば、接続ＩＦ３０２を介して通話用端末２００から受信した音声データやサーバー３００上で後述する処理を実行するためのプログラムのデータ等が記録される。なお、ＨＤＤ３０４に記録されるプログラムのデータは、ＣＤ−ＲＯＭやＤＶＤ−ＲＯＭなどの記憶媒体に記録されて提供され、サーバー３００の管理者等が当該記憶媒体を用いてプログラムのデータをＨＤＤ３０４にインストールすることによって、制御装置３０３がプログラムを実行できるようになる。
【００５４】
モニタ３０５は、例えば液晶モニタであって、制御装置３０３から出力される種々の表示用データが表示される。
【００５５】
以下、図６に示すフローチャートを用いて、本実施の形態におけるサーバー３００の処理について説明する。この図６に示す処理は、通話用端末２００から音声データを受信すると起動するプログラムとして、制御装置３０３によって実行される。なお、ここでは、上述したパブリックチャンネル時の配信先を決定するための登録はあらかじめ行われているものとする。すなわち、パブリックチャンネル時の発話者と受話希望者のアドレスの関連付けは既に完了しており、この関連付けデータはＨＤＤ３０４に記録されているものとする。
【００５６】
ステップＳ１１０において、制御装置３０３は、通話用端末２００から受信した音声データをＨＤＤ３０４に記録することにより録音する。その後、ステップＳ１２０へ進む。
【００５７】
ステップＳ１２０では、制御装置３０３は、通話用端末２００から受信した情報に基づいて、配信先の通話用端末２００のアドレスを特定する。具体的には、以下のように特定する。まず、プライベートチャンネルに設定されて発話が行われた場合には、上述したように、通話用端末２００から送信先のアドレス情報が送られてくる。よって、制御装置３０３は、通話用端末２００から受信した送信先のアドレス情報に基づいて、配信先の通話用端末２００のアドレスを特定する。一方、パブリックチャンネルに設定されて発話が行われた場合には、上述したように、通話用端末２００から発話がパブリックチャンネルを用いてされたものであることを示すパブリック情報が送られてくる。この場合には、制御装置３０３は、ＨＤＤ３０４に記録されている発話者と受話希望者のアドレスの関連付け情報を参照して、発話者の通話用端末２００のアドレスに関連付けられている受話希望者の通話用端末２００のアドレスを配信先として特定する。
【００５８】
その後、ステップＳ１３０へ進み、制御装置３０３は、ステップＳ１２０で特定した配信先のアドレスについて、通話用端末２００がオンラインであるか否かを判断する。ステップＳ１３０で肯定判断した場合には、ステップＳ１４０へ進み、オンラインである通話用端末２００に対して、ＨＤＤ３０４に録音しておいた音声データを再生し、再生した音声データを配信することにより、発話者の発話音声を配信する。これによって、発話者が指定した送信先に対して、発話者の発話音声を配信することができる。
【００５９】
一方、ステップＳ１３０で否定判断した場合には、ステップＳ１５０へ進み、オフラインである通話用端末２００に対して、未配信の発話音声があることを通知するための文字データを例えば、メール等により送信する。この文字データは、通話用端末２００がオンラインになったタイミングで通話用端末２００に配信されるようにしてもよいし、オフライン中もメールの受信は許可するようにしてもよい。通話用端末２００では、受信した文字データは表示エリア３ｊに表示され、受話者が確認できるようになっている。この文字データには、例えば、発話音声を再生するためのリンクがはられており、受話者はこのリンクにタッチすることによって音声データの配信をサーバー３００に対して要求することができる。受話者によってリンクがタッチされた場合の処理については後述する。
【００６０】
その後、ステップＳ１６０へ進み、制御装置３０３は、発話者が送信先として指定した全ての通話用端末２００を対処として、ステップＳ１３０〜Ｓ１５０の処理が完了したか否かを判断する。ステップＳ１６０で否定判断した場合には、ステップＳ１３０へ戻る。これに対して、ステップＳ１６０で肯定判断した場合には、処理を終了する。
【００６１】
次に、ステップＳ１５０で送信した文字データ内のリンクが受話者によってタッチされた場合の処理について説明する。この場合、通話用端末２００の制御装置２０３は、再生を要求するための信号をサーバー３００へ送信する。これにより、通話用端末２００からサーバー３００に対して音声データの再生が指示される。音声データの再生が指示されたサーバー３００では、図７に示す処理を実行する。すなわち、ステップＳ２１０において、制御装置３０３は、通話用端末２００からの要求に基づいてＨＤＤ３０４に録音しておいた音声データを再生することにより、発話者の発話音声を配信する。その後、処理を終了する。これによって、当初の配信時にはオフラインであった通話用端末２００に対しても発話者の発話音声を配信することができる。
【００６２】
以上説明した本実施の形態によれば、以下のような作用効果を得ることができる。
（１）通話用端末２００の制御装置２０３は、発話者による発話音声の送信先の指定を受け付け、発話音声をサーバー３００へ送信するようにした。サーバー３００は、通話用端末２００から発話音声を受信し、受信した発話音声を通話用端末２００側で送信先として指定された通話用端末２００に対して配信するようにした。これによって、発話者による発話音声は、サーバー３００を介して送信先に配信されるので、通話用端末２００同士を相互に同時接続することなしに通話用端末２００の所有者はそれぞれ発話を行うことができ、同時接続による回線品質の低下を防ぐことができる。
【００６３】
（２）制御装置２０３は、発話者によるプライベート・パブリック切替ボタン３ａの操作結果に基づいて、発話音声の送信先を発話者が指定した少なくとも１台の通話用端末２００とするか（プライベートチャンネル）、あらかじめ設定された少なくとも１台の通話用端末２００とするか（パブリックチャンネル）を切り替え、プライベートチャンネルに切り替えた場合には、発話者によって指定された通話用端末２００を送信先として発話音声の音声データをサーバー３００へ送信し、パブリックチャンネルに切り替えた場合には、サーバー３００側であらかじめ登録されている通話用端末２００を送信先として発話音声の音声データをサーバー３００へ送信するようにした。そして、サーバー３００の制御装置３０３は、通話用端末２００から発話音声の音声データを受信した場合には、通話用端末２００側で送信先として設定された通話用端末２００に対して発話音声を配信するようにした。これによって、発話者は、発話音声の送信先を自身が指定した相手とするか、あらかじめ登録されている受話希望者とするかを任意に設定することができるため、利便性を向上させることができる。
【００６４】
（３）制御装置２０３が備えるフラッシュメモリ、またはメモリスロット２０４に挿入されたメモリカードにフレンドのアドレス帳を記録しておき、制御装置２０３は、プライベートチャンネル時には、発話者によって選択されたフレンドのアドレスを送信先に設定するようにした。これによって、発話者は、登録しておいたフレンドのアドレス帳からフレンドのアドレスを選択するだけで送信先を指定できるため、簡易な操作で送信先を指定することが可能となる。
【００６５】
（４）制御装置２０３が備えるフラッシュメモリ、またはメモリスロット２０４に挿入されたメモリカードにチームのアドレス帳を記録しておき、制御装置２０３は、プライベートチャンネル時には、発話者によって選択されたチームに属するメンバーのアドレスを送信先に設定するようにした。これによって、発話者は、チームに複数のメンバーのアドレスを登録しておけば、１つのチームを選択するだけで複数のメンバーを送信先として指定することができるため、簡易な操作で複数の送信先を指定することが可能となる。
【００６６】
（５）制御装置２０３は、サーバー３００へ音声データを送信するに当たっては、音声データと送信先のアドレスとを関連付けて送信するようにした。そして、サーバー３００では、制御装置３０３は、携帯用端末２００から受信した送信先のアドレスに基づいて配信先を特定し、配信先に対して発話音声を配信するようにした。これにより、サーバー３００は、配信先の通話用端末２００を特定して、発話音声を配信することができる。
【００６７】
（６）サーバー３００では、パブリックチャンネル時に特定の通話用端末２００から送信される発話音声の受信を希望する受話希望者による配信希望の登録を受け付け、発話者と受話希望者のアドレスを関連付けてＨＤＤ３０４に記録しておき、制御装置３０３は、ＨＤＤ３０４に記録されているパブリックチャンネル時の発話者と受話希望者のアドレスの関連付け情報を参照して、発話者の通話用端末２００のアドレスに関連付けられている受話希望者の通話用端末２００のアドレスを配信先として特定し、特定したアドレスに発話音声を配信するようにした。これによって、発話者がパブリックチャンネルに切り替えて行った発話の発話音声を受話希望者に配信することが可能となる。
【００６８】
（７）制御装置３０３は、携帯用端末２００から受信した発話音声の音声データを録音しておき、録音した発話音声の音声データを再生することによって、発話音声を配信先の通話用端末２００に対して配信するようにした。これにより、録音データをサーバー３００側に残して、後の再生を可能とすることができる。
【００６９】
（８）制御装置３０３は、発話者の通話用端末２００から発話音声を受信した場合に、配信先の通話用端末２００がオンラインである場合には、発話音声の音声データの録音が完了したときに、発話音声の音声データを再生して配信先の通話用端末２００に発話音声を配信するようにした。これによって、オンラインの通話用端末２００に対しては、リアルタイム性を確保して発話音声を配信することができる。
【００７０】
（９）制御装置３０３は、発話者の通話用端末２００から発話音声を受信した場合に、配信先の通話用端末２００がオフラインである場合には、配信先の通話用端末２００に対して未配信の発話音声があることを通知するための文字データを送信し、配信先の通話用端末２００から発話音声の配信が要求されたときに、発話音声の音声データを再生して配信先の通話用端末２００に発話音声を配信するようにした。これによって、当初の配信時にはオフラインであった通話用端末２００に対しても受話者からの要求に応じて発話者の発話音声を配信することができる。
【００７１】
―変形例―
なお、上述した実施の形態の通話システムは、以下のように変形することもできる。
（１）上述した実施の形態では、制御装置３０３は、発話者の通話用端末２００から発話音声を受信したときに、配信先の通話用端末２００がオンラインであるかオフラインであるかを判定し、配信先の通話用端末２００がオンラインである場合には、発話音声の音声データの録音が完了したときに、発話音声の音声データを再生して配信先の通話用端末２００に発話音声を配信するようにした。一方、配信先の通話用端末２００がオフラインである場合には、配信先の通話用端末２００に対して未配信の発話音声があることを通知するための文字データを送信し、配信先の通話用端末２００から発話音声の配信が要求されたときに、発話音声の音声データを再生して配信先の通話用端末２００に発話音声を配信するようにした。しかしながら、制御装置３０３は、発話者の通話用端末２００から発話音声を受信したときに、配信先の通話用端末２００が発話音声を配信可能なエリア内に存在しているか否かを判定し、エリア内に存在している場合には、発話音声の音声データの録音が完了したときに、発話音声の音声データを再生して配信先の通話用端末２００に発話音声を配信し、エリア内に存在していない場合には、配信先の通話用端末２００に対して未配信の発話音声があることを通知するための文字データを送信し、配信先の通話用端末２００から発話音声の配信が要求されたときに、発話音声の音声データを再生して配信先の通話用端末２００に発話音声を配信するようにしてもよい。これによって、エリア内に存在している通話用端末２００に対しては、リアルタイム性を確保して発話音声を配信することができるとともに、当初の配信時にはエリア内に存在していなかった通話用端末２００に対しても受話者からの要求に応じて発話者の発話音声を配信することができる。
【００７２】
また、既に発話音声の配信が完了している受話者も、サーバー３００に対して発話音声の再配信を要求できるようにしてもよい。例えば、制御装置２０３は、受話者がその他機能ボタン３ｇにタッチすると、過去に配信された発話音声の履歴を表示エリア３ｊに表示させるためのボタンを表示し、受話者によって該ボタンがタッチされたことを検出した場合には、過去に配信された発話音声の履歴を表示エリア３ｊに表示する。受話者は、表示された配信履歴の中から再配信を希望する発話音声をタッチして選択することができる。制御装置２０３は、受話者によって再配信を希望する発話音声が選択された場合には、サーバー３００に対してその発話音声を特定するための情報を送信し、発話音声の再配信を要求する。サーバー３００側では、制御装置３０３は、通話用端末２００から発話音声の再配信が要求された場合には、該当する発話音声の音声データを再生して配信先の通話用端末２００に発話音声を再配信するようにすればよい。
【００７３】
（２）上述した実施の形態では、配信先の通話用端末２００の使用者、すなわち受話者は、サーバー３００から受信した発話音声をスピーカー２０６を介して聞くことができる例について説明した。この場合、発話音声を聞いた受話者は、発話者に対して応答できるようにしてもよい。例えば、制御装置２０３は、サーバー３００から受信した音声をスピーカー２０６を介して出力した後は、一定の時間、受話者による応答発話を待ち受けるようにしてもよい。制御装置２０３は、この一定時間内にボイスボタン３ｈがタッチされて発話がなされたことを検出した場合には、その発話は応答発話であると判定して、発話音声の送信先を、直前に発話音声を受信した発話者の通話用端末２００に設定するようにしてもよい。あるいは、変形例（１）で上述したように、過去に配信された発話音声の履歴を表示エリア３ｊに表示させることができるようにし、受話者は、その中から応答したい発話音声を選択できるようにしてもよい。これによって、サーバー３００を介して、最初の発話者に対して応答発話音声を送信することが可能となる。
【００７４】
また、この場合には、制御装置２０３は、応答発話の送信先を最初の発話者の通話用端末２００だけでなく、最初の発話者から同じ発話音声を受信した他の通話用端末２００に設定するようにしてもよい。これによって、発話者から同じ発話音声を受信した他の受話者に対しても応答発話音声を送信することが可能となる。
【００７５】
（３）上述した実施の形態では、制御装置２０３は、発話者によって検索ボタン３ｆがタッチされたことを検出した場合には、表示エリア３ｊに検索画面を表示する例について説明した。しかしながら、制御装置２０３は、タッチパネル２０１上の表示を検索画面に切り替えて、発話者は、該検索画面上で送信先のアドレスを検索できるようにしてもよい。
【００７６】
（４）上述した実施の形態では、通話用端末２００はスピーカー２０６を備え、制御装置２０３は、他の通話用端末２００から受信した発話音声をスピーカー２０６から出力する例について説明した。しかしながら、発話音声はスピーカー２０６以外の音声出力装置から出力するようにしてもよい。例えば、通話用端末２００は、外部のヘッドホン、イヤホン、スピーカー等の音声出力装置を有線接続するための接続端子を備えるようにし、該接続端子を介して外部の音声出力装置から発話音声を出力するようにしてもよい。あるいは、通話用端末２００は、Ｂｌｕｅｔｏｏｔｈ（登録商標）やＷｉ−Ｆｉ（登録商標）などの無線通信モジュールを備えるようにし、無線により接続された外部のヘッドホン、イヤホン、スピーカー等の音声出力装置から発話音声を出力するようにしてもよい。
【００７７】
（５）上述した実施の形態では、発話者は、プライベート・パブリック切替ボタン３ａにタッチすることによって、通話のチャンネルをプライベートチャンネルとパブリックチャンネルとの間で切り替えることができる例について説明した。しかしながら、通話用端末２００は、上述したプライベートチャンネルとパブリックチャンネルのいずれかのチャンネルが固定で設定されていてもよい。すなわち、上述したプライベートチャンネル時の処理のみ、またはパブリックチャンネル時の処理のみを実行する通話用端末２００を用いて、本発明における通話システムを構築してもよい。
【００７８】
（６）上述した実施の形態では、使用者は、オンライン・オフライン切替ボタン３ｌをタッチすることにより、通話用端末２００のオンラインとオフラインとを切り替えることができるようにし、制御装置２０３は、オフライン状態では、サーバー３００への発話音声の送信、および他の通話用端末２００からの発話音声を受信を禁止する例について説明した。しかしながら、制御装置２０３は、オフライン状態で発話者によってボイスボタン３ｈがタッチされた場合には、通話用端末２００を自動的にオンラインへ切り替えて、発話音声の送信を許可するようにしてもよい。この場合、制御装置２０３は、ボイスボタン３ｈのタッチが解除された後、所定時間が経過した後に、通話用端末２００を自動的にオフラインに戻すようにしてもよい。これによって、発話を希望する発話者は、オフライン中でもオフラインを解除することなく発話を行うことができるため、利便性を向上させることができる。
【００７９】
（７）上述した実施の形態では、使用者は、オンライン・オフライン切替ボタン３ｌをタッチすることにより、通話用端末２００のオンラインとオフラインとを切り替えることができるようにした。そして、制御装置２０３は、通話用端末２００がオンラインに切り替えられた場合には、サーバー３００にその旨を通知し、サーバー３００との間の通信を確立して発話音声の配信を許可する。一方で、通話用端末２００がオフラインに切り替えられた場合には、サーバー３００にその旨を通知し、サーバー３００との間の通信を切断して発話音声の配信を拒否するようにした。このとき、サーバー３００の制御装置３０３は、ある通話用端末２００からオンライン・オフラインの切替状況の通知を受けた場合には、他の通話用端末２００に対して、その旨を通知するようにしてもよい。そして、各通話用端末２００では、制御装置２０３は、発話者によってフレンドアドレスボタン３ｂがタッチされ、表示エリア３ｊにフレンドのアドレスを一覧表示した際に、各フレンドのアドレスに対応付けてそのフレンドの通話用端末２００がオンラインであるかオフラインであるかを示す情報、例えばアイコン等を表示するようにしてもよい。これによって、各通話用端末２００の使用者は、通話用端末２００上でフレンドの通話用端末２００がオンラインであるかオフラインであるかを把握することが可能となる。
【００８０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００８１】
１００  通話システム、２００  通話用端末、２０１  タッチパネル、２０２  通信モジュール、２０３  制御装置、２０４  メモリスロット、２０５  マイク、２０６  スピーカー、３００  サーバー、３０１  操作部材、３０２  接続ＩＦ、３０３  制御装置、３０４  ＨＤＤ、３０５  モニタ
【図１】
2013009131.tif 000003
【図２】
2013009131.tif 000004
【図３】
2013009131.tif 000005
【図４】
2013009131.tif 000006
【図５】
2013009131.tif 000007
【図６】
2013009131.tif 000008
【図７】
2013009131.tif 000009
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
複数の発話者がそれぞれ所持し、前記発話者による発話音声を送信する通話用端末と、
前記通話用端末のいずれかから前記発話音声を受信し、前記発話者が指定した他の通話用端末に前記発話音声を配信する配信装置とを備えた通話システムであって、
前記通話用端末は、
前記発話音声の送信先を発話者が指定した少なくとも１台の通話用端末（以下、「指定端末」と呼ぶ）とするか、あらかじめ登録されている少なくとも１台の通話用端末（以下、「事前登録端末」と呼ぶ）とするかを切り替える切替手段と、
前記切替手段によって、前記発話音声の送信先を前記指定端末とするように切り替えられた場合には、送信先とする前記指定端末を指定して前記発話音声を前記配信装置へ送信し、前記切替手段によって、前記発話音声の送信先を前記事前登録端末とするように切り替えられた場合には、前記事前登録端末を送信先として指定して前記発話音声を前記配信装置へ送信する送信手段とを備え、
前記配信装置は、
前記通話用端末から前記発話音声を受信する受信手段と、
前記受信手段が受信した前記発話音声を前記通話用端末側で送信先として指定された通話用端末（以下、「配信先端末」と呼ぶ）に対して配信する配信手段と、
特定の通話用端末から送信される前記発話音声の受信を希望する受話希望者による配信希望の登録を受け付ける受付手段と、
前記受付手段によって配信希望の登録を受け付けた受話希望者が所持する通話用端末を特定するためのアドレスを前記特定の通話用端末のアドレスに関連付けて記録する関連付け手段とを備え、
前記配信手段は、前記通話用端末から前記事前登録端末を送信先として前記発話音声を受信した場合には、前記発話音声の送信元の前記通話用端末のアドレスに関連付けられている前記アドレスに基づいて配信先の前記通話用端末を特定し、特定した前記通話用端末を前記配信先端末として、前記発話音声を配信することを特徴とする通話システム。
【請求項２】
請求項１に記載の通話システムにおいて、
前記通話用端末は、
送信先として指定可能な通話用端末を特定するためのアドレスを記録した記録手段をさらに備え、
前記送信手段は、発話者によって前記記録手段に記録されている前記アドレスの中から少なくとも１台の通話用端末に関する前記アドレスが選択された場合には、該選択されたアドレスに対応する前記通話用端末を前記指定端末として送信先に指定することを特徴とする通話システム。
【請求項３】
請求項２に記載の通話システムにおいて、
前記記録手段は、前記アドレスをグループ化して記録することができ、
前記送信手段は、発話者によって前記アドレスの少なくとも１つのグループが選択された場合には、該選択されたグループに含まれるアドレスに対応する前記通話用端末を前記指定端末として送信先に指定することを特徴とする通話システム。
【請求項４】
請求項２または３に記載の通話システムにおいて、
前記送信手段は、送信先として指定した前記指定端末の前記アドレスと前記発話音声とを関連付けて前記配信装置へ送信し、
前記配信手段は、前記通話用端末から受信した前記アドレスに基づいて前記配信先端末を特定し、特定した前記配信先端末に対して前記受信手段が受信した前記発話音声を配信することを特徴とする通話システム。
【請求項５】
請求項１〜４のいずれか一項に記載の通話システムにおいて、
前記配信装置は、
前記受信手段が受信した前記発話音声の音声データを録音する録音手段をさらに備え、
前記配信手段は、前記録音手段によって録音された前記発話音声の音声データを再生することにより、前記発話音声を前記配信先端末に対して配信することを特徴とする通話システム。
【請求項６】
請求項５に記載の通話システムにおいて、
前記配信手段は、前記通話用端末から前記発話音声を受信した場合には、前記録音手段による前記発話音声の音声データの録音が完了したときに、前記発話音声の音声データを再生して前記配信先端末に前記発話音声を配信することを特徴とする通話システム。
【請求項７】
請求項５に記載の通話システムにおいて、
前記配信手段は、前記通話用端末から前記発話音声を受信したときには、前記配信先端末に対してその旨を通知し、
前記配信先端末から前記発話音声の配信が要求されたときに、前記発話音声の音声データを再生して前記配信先端末に前記発話音声を配信することを特徴とする通話システム。
【請求項８】
請求項５に記載の通話システムにおいて、
前記配信装置は、前記通話用端末から前記発話音声を受信したときに、前記配信先端末が前記発話音声を配信可能なエリア内に存在しているか否かを判定するエリア状況判定手段をさらに備え、
前記配信手段は、前記エリア状況判定手段によって前記エリア内に存在していると判定された前記配信先端末に対しては、前記録音手段による前記発話音声の音声データの録音が完了したときに、前記発話音声の音声データを再生して前記発話音声を配信し、前記エリア状況判定手段によって前記エリア内に存在していないと判定された前記配信先端末に対しては、未配信の前記発話音声がある旨を通知し、前記配信先端末から前記発話音声の配信が要求されたときに、前記発話音声の音声データを再生して前記発話音声を配信することを特徴とする通話システム。
【請求項９】
請求項５に記載の通話システムにおいて、
前記通話用端末は、使用者からの指示に基づいて前記発話音声の送受信の可否を設定するとともに、その設定内容を前記配信装置へ通知する送受信可否設定手段をさらに備え、
前記配信装置は、前記通話用端末から前記発話音声を受信したときに、前記配信先端末における前記発話音声の送受信可否の設定状況を判定する送受信可否状況判定手段をさらに備え、
前記配信手段は、前記送受信可否状況判定手段によって送受信が許可されていると判定された前記配信先端末に対しては、前記録音手段による前記発話音声の音声データの録音が完了したときに、前記発話音声の音声データを再生して前記発話音声を配信し、前記送受信可否状況判定手段によって送受信が禁止されていると判定された前記配信先端末に対しては、未配信の前記発話音声がある旨を通知し、前記配信先端末から前記発話音声の配信が要求されたときに、前記発話音声の音声データを再生して前記発話音声を配信することを特徴とする通話システム。
【請求項１０】
請求項９に記載の通話システムにおいて、
前記送受信可否設定手段は、前記発話音声の送受信を禁止するように設定しているときに、前記発話者によって発話が行われたことを検出した場合には、一時的に前記発話音声の送信を許可することを特徴とする通話システム。
【請求項１１】
請求項１０に記載の通話システムにおいて、
前記送受信可否設定手段は、一時的に前記発話音声の送信を許可した場合には、前記発話者による発話が終了してから所定時間が経過した後に、再び前記発話音声の送信を禁止することを特徴とする通話システム。
【請求項１２】
請求項１〜１１のいずれか一項に記載の通話システムにおいて、
前記通話用端末は、前記配信装置から配信された前記発話音声の音声データを出力する音声出力手段をさらに備えることを特徴とする通話システム。
【請求項１３】
請求項１〜１２のいずれか一項に記載の通話システムにおいて、
前記通話用端末は、前記配信装置から前記発話音声を受信したときに、受話者からの応答の発話を受け付けて、前記発話音声の送信元の通話用端末に対して、応答の発話音声を送信する応答手段をさらに備えることを特徴とする通話システム。
【請求項１４】
請求項１３に記載の通話システムにおいて、
前記応答手段は、前記応答の発話音声を、前記送信元の通話用端末とともに、該送信元の通話用端末から同じ発話音声が配信された他の通話用端末にも送信することを特徴とする通話システム。
【手続補正２】
【補正対象書類名】明細書
【補正対象項目名】０００５
【補正方法】変更
【補正の内容】
【０００５】
本発明による通話システムは、複数の発話者がそれぞれ所持し、発話者による発話音声を送信する通話用端末と、通話用端末のいずれかから発話音声を受信し、発話者が指定した他の通話用端末に発話音声を配信する配信装置とを備えた通話システムであって、通話用端末は、発話音声の送信先を発話者が指定した少なくとも１台の通話用端末（以下、「指定端末」と呼ぶ）とするか、あらかじめ登録されている少なくとも１台の通話用端末（以下、「事前登録端末」と呼ぶ）とするかを切り替える切替手段と、切替手段によって、発話音声の送信先を指定端末とするように切り替えられた場合には、送信先とする指定端末を指定して発話音声を配信装置へ送信し、切替手段によって、発話音声の送信先を事前登録端末とするように切り替えられた場合には、事前登録端末を送信先として指定して発話音声を配信装置へ送信する送信手段とを備え、配信装置は、通話用端末から発話音声を受信する受信手段と、受信手段が受信した発話音声を通話用端末側で送信先として指定された通話用端末（以下、「配信先端末」と呼ぶ）に対して配信する配信手段と、特定の通話用端末から送信される発話音声の受信を希望する受話希望者による配信希望の登録を受け付ける受付手段と、受付手段によって配信希望の登録を受け付けた受話希望者が所持する通話用端末を特定するためのアドレスを特定の通話用端末のアドレスに関連付けて記録する関連付け手段とを備え、配信手段は、通話用端末から事前登録端末を送信先として発話音声を受信した場合には、発話音声の送信元の通話用端末のアドレスに関連付けられているアドレスに基づいて配信先の通話用端末を特定し、特定した通話用端末を配信先端末として、発話音声を配信することを特徴とする。